(57)【特許請求の範囲】
【請求項１】
第１の周波数帯域の第１のテレビジョン放送信号または上記第１のテレビジョン放送信号および当該第１のテレビジョン放送信号の上記第１の周波数帯域より低い第２の周波数帯域の第２のテレビジョン放送信号の混合波が入力される第１の入力端子と、
上記第２のテレビジョン放送信号が入力される第２の入力端子と、
上記第１の入力端子から入力される上記第１のテレビジョン放送信号に対して少なくとも同調処理を行う第１のチューナと、
上記第２のテレビジョン放送信号に対して少なくとも同調処理を行う第２のチューナと、
第１の回路端子および第２の回路端子を有し、上記第１の回路端子から入力される放送信号から第２の放送信号を抽出し、抽出した第２の放送信号を上記第２の回路端子から出力する整合部と、
上記第１の入力端子と上記整合部の上記第１の回路端子間の接続を選択的に行うことが可能な第１の接続部と、
上記第２のチューナへの上記第２のテレビジョン放送信号の入力経路を、上記第２の入力端子からの経路または上記整合部の上記第２の回路端子からの経路とする第２の接続部と
を有する受信装置。
【請求項２】
上記第１の接続部は、
上記第１の入力端子と接続可能に対となるように形成された第１の接続端子を含み、
上記第１の接続端子は、
上記整合部の上記第１の回路端子と接続され、
上記第２の接続部は、
上記第２の入力端子と接続可能に対となるように形成された第２の接続端子を含み、
上記第２の接続端子は、
上記整合部の上記第２の回路端子と接続され、
上記第１のチューナの入力部は上記第１の入力端子に接続され、
上記第２のチューナの入力部は上記第２の入力端子に接続されている
請求項１記載の受信装置。
【請求項３】
上記第１の入力端子と上記第１の接続端子が非接続状態で、上記第２の入力端子と上記第２の接続端子が非接続状態の場合、
上記第１の入力端子から入力された第１のテレビジョン信号が第１のチューナに入力され、
上記第２の入力端子から入力された第２のテレビジョン信号が第２のチューナに入力される
２入力モジュールとして機能する
請求項２記載の受信装置。
【請求項４】
上記第１の入力端子と上記第１の接続端子が接続状態で、上記第２の入力端子と上記第２の接続端子が接続状態の場合、
上記第１の入力端子から入力された第１のテレビジョン信号および第２のテレビジョン信号の混合波が入力される
１入力モジュールとして機能する
請求項２記載の受信装置。
【請求項５】
上記第１のチューナの入力側に上記第１の周波数帯域の信号を通過させて当該第１のチューナに供給するフィルタを有する
請求項４記載の受信装置。
【請求項６】
上記第１の接続部は、
上記第１の入力端子と上記整合部の上記第１の回路端子と接続され、
上記第２の接続部は、
上記第２の入力端子と接続可能に対となるように形成された接続端子を含み、
上記接続端子は、
上記整合部の上記第２の回路端子と接続され、
上記第１のチューナの入力部は上記第１の入力端子に接続され、
上記第２のチューナの入力部は上記第２の入力端子に接続されている
請求項１記載の受信装置。
【請求項７】
上記第２の入力端子と上記接続端子が非接続状態の場合、
上記第１の入力端子から入力された第１のテレビジョン信号が第１のチューナに入力され、
上記第２の入力端子から入力された第２のテレビジョン信号が第２のチューナに入力される
２入力モジュールとして機能する
請求項６記載の受信装置。
【請求項８】
上記第２の入力端子と上記接続端子が続状態の場合、
上記第１の入力端子から入力された第１のテレビジョン信号および第２のテレビジョン信号の混合波が入力される
１入力モジュールとして機能する
請求項６記載の受信装置。
【請求項９】
上記第１のチューナの入力側に上記第１の周波数帯域の信号を通過させて当該第１のチューナに供給するフィルタを有する
請求項８記載の受信装置。
【請求項１０】
上記第１の接続部は、
上記第１の入力端子と上記整合部の上記第１の回路端子との接続状態および非接続状態を切り替えるための第１のスイッチを含み、
上記第２の接続部は、
上記第２のチューナの入力部を上記第２の入力端子との接続状態とするか上記整合部の上記第２の回路端子との接続状態とするかを切り替えるための第２のスイッチを含み、
上記第１のチューナの入力部は上記第１の入力端子に接続されている
請求項１記載の受信装置。
【請求項１１】
上記第１のスイッチにより上記第１の入力端子と上記整合部の上記第１の回路端子とが非接続状態にあり、上記第２のスイッチにより上記第２のチューナの入力部が上記第２の入力端子と接続状態にある場合、
上記第１の入力端子から入力された第１のテレビジョン信号が第１のチューナに入力され、
上記第２の入力端子から入力された第２のテレビジョン信号が第２のチューナに入力される
２入力モジュールとして機能する
請求項１０記載の受信装置。
【請求項１２】
上記第１のスイッチにより上記第１の入力端子と上記整合部の上記第１の回路端子とが接続状態にあり、上記第２のスイッチにより上記第２のチューナの入力部が上記第２の回路端子と接続状態にある場合、
上記第１の入力端子から入力された第１のテレビジョン信号および第２のテレビジョン信号の混合波が入力される
１入力モジュールとして機能する
請求項１０記載の受信装置。
【請求項１３】
上記第１のチューナの入力側に上記第１の周波数帯域の信号を通過させて当該第１のチューナに供給するフィルタを有する
請求項１２記載の受信装置。
【請求項１４】
上記第１のスイッチおよび上記第２のスイッチの切り替え制御を行う制御部を有する
請求項１０から１３のいずれか一に記載の受信装置。
【請求項１５】
上記制御部は、
上記第１のスイッチおよび上記第２のスイッチを切り替えて１入力モジュール機能と２入力モジュール機能を発現させ、
上記第１のチューナおよび上記第２のチューナの処理信号をスキャンして上記第１のテレビジョン放送信号および上記第２のテレビジョン放送信号の受信状況をモニタする機能を有する
請求項１４記載の受信装置。
【発明の詳細な説明】
【技術分野】
【０００１】
本発明は、たとえば衛星波テレビジョン放送および地上波テレビジョン放送等のように複数のテレビジョン放送信号を受信可能なフロントエンドモジュールを形成する受信装置に関するものである。
【背景技術】
【０００２】
近年、衛星波テレビジョン放送が普及し、地上波テレビジョン放送だけでなく衛星波テレビジョン放送も受信できる受信装置が多くなっている（たとえば特許文献１、２参照）。
【０００３】
図１（Ａ）および（Ｂ）は、一般的な地上波テレビジョン放送と衛星波テレビジョン放送の受信機の構成例を示す図である。
【０００４】
図１（Ａ）の受信機１は、衛星波テレビジョン放送および地上波テレビジョン放送受信用チューナ一体型の受信装置２、衛星波テレビジョン放送用アンテナ３、および地上波テレビジョン放送用アンテナ４を有する。
以下では、衛星波テレビジョン放送を衛星波放送といい、地上波テレビジョン放送を地上波放送という。
受信装置２は、衛星波チューナ２１、地上波チューナ２２、衛星波放送用アンテナ端子２３、および地上波放送用アンテナ端子２４を有する。
【０００５】
図１（Ｂ）の受信機１Ａは、図１（Ａ）の構成に加えて衛星波放送および地上波放送の混合器５を有する。
そして、受信装置２Ａは、衛星波チューナ２１、地上波チューナ２２、衛星波放送および地上波放送用共通アンテナ端子２５、および分波器２６を有する。
【０００６】
通常、受信機１において、衛星波放送受信用衛星波チューナ２１は衛星波放送用アンテナ３に接続する必要があり、地上波放送受信用地上波チューナ２２は地上波放送用アンテナ４に接続する必要がある。
衛星波放送用アンテナ３と地上波放送用アンテナ４は受信周波数が異なるため別のアンテナとなっている。
これらのアンテナ３，４とそれぞれの受信装置２の接続方法には、図１（Ａ）および（Ｂ）に示す方法がある。
図１（Ａ）に示す方法は、衛星波放送用アンテナ３と地上波放送用アンテナ４を２本のケーブルＣＢＬ１，ＣＢＬ２で個別に配線する。
図１（Ｂ）に示す方法は、衛星波放送用アンテナ３と地上波放送用アンテナ４で受信した信号を混合器５で混合し、その混合波を１本のケーブルＣＢＬ３で配線する。
【０００７】
図１（Ａ）の受信機１は、すでに地上波放送受信用のアンテナ４が設置されている場合であって、以下の場合に、地上波放送受信用としては既存のケーブルや設備をそのまま使用し、衛星波放送受信用には新規に配線をする例である。
追加で衛星波放送用アンテナ３を設置する場合、または既存のケーブルや設備の周波数特性等が衛星波放送用に対応していない場合、また対応しているかどうかが不明な場合に、既存のケーブル等をそのまま使用し、衛星波放送受信用には新規に配線をする。
すなわち、衛星波用のケーブルには９５０ＭＨｚ〜２１５０ＭＨｚの信号が伝送されるようになっており、地上波用のケーブルには４０ＭＨｚ〜８６４ＭＨｚ程度の信号が伝送されるので、それぞれに最適なケーブルを施設できる利点がある。
この場合、それぞれの放送用の２本のケーブルＣＢＬ１，ＣＢＬ２が受信装置２に接続されるため、受信装置２にはそれぞれ個別に入力端子が形成されているほうが便利である。
【０００８】
図１（Ｂ）の受信機１Ａは、伝送信号の周波数差を利用して衛星波放送用の信号と地上波放送用の信号を１本のケーブルで伝送する例である。
受信機１Ａは、アンテナの信号を混合する混合器５と受信装置２Ａの内部にその信号を衛星波チューナ２１と地上波チューナ２２に分波する分波器２６が必要である。
すなわち、アンテナ設置時に衛星波放送用アンテナ３、地上波放送用アンテナ４を同時に設置する場合などは、アンテナの近くで双方の信号を混合して配線を行う方が受信装置までの配線が１本で済み、受信装置にケーブルを２本配線する煩わしさがない。
この場合、双方の信号は混合されており、１本のケーブルＣＢＬ３のみで配線されるため、受信装置２Ａには双方の入力端子が１つだけついているほうが、利便性が良い。
【０００９】
もし、図１（Ｂ）のケースで入力端子が分かれて２つになっている場合には、別途分波器を用いて受信装置の外部で信号を分波して接続する必要がある。
一方で、受信機を小型化する場合や、機器のデザイン上の制約でアンテナに接続するコネクタを2本設けることが困難な場合もある。
この場合、受信機には双方の入力端子をまとめて１つだけ設けられることがある。
【先行技術文献】
【特許文献】
【００１０】
【特許文献１】特開２００７−１１６３５８号公報
【特許文献２】ＷＯ２００６−１０９４７７号公報
【発明の概要】
【発明が解決しようとする課題】
【００１１】
このように衛星波放送と地上波放送の双方の放送を受信できる受信装置の入力端子の形成は、各種の要件により、次の２つの場合がある。
第１は、衛星波放送用アンテナ３の接続用アンテナ端子２３と、地上波放送用アンテナ４の接続用アンテナ端子２４との２つを個別に形成する場合である。
第２は、衛星波放送用アンテナ３の接続用アンテナ端子と地上波放送用アンテナ４の接続用アンテナ端子を共通化し１本のみを形成する場合である。
【００１２】
この結果として、受信装置としては、入力端子が２本ある場合と１本の場合で、それぞれを別々のチューナユニットとして設計することが必要になる。
そのために、チューナの品種が増えてしまい設計に必要な工数が掛かり、品種を管理する管理コストが上昇し、さらにはそれぞれのチューナの生産数量が少なくなるため、非常に効率の悪い設計開発を行う必要がある。
【００１３】
加えて、チューナを何れか１種類に統合するとし、入力端子を２本形成したチューナユニットを選択すると、一軸のケーブルで伝送された場合に受信装置の外部に分波器を設ける必要が生じる。
入力端子を１つ形成したチューナユニットに統合すれば、衛星波放送用アンテナを追加する必要がある場合には、同時に混合器も必ず追加することが必要となる。
【００１４】
本発明は、第１の放送信号と第２の放送信号の入力端子を簡便に、１本または２本に変更でき、入力仕様の選択をユニットの外部に特別な部品を付加することなく、簡便な方法で変更できる受信装置を提供することにある。
【課題を解決するための手段】
【００１５】
本発明の第１の観点の受信装置は、第１の周波数帯域の第１のテレビジョン放送信号または上記第１のテレビジョン放送信号および当該第１のテレビジョン放送信号の上記第１の周波数帯域より低い第２の周波数帯域の第２のテレビジョン放送信号の混合波が入力される第１の入力端子と、上記第２のテレビジョン放送信号が入力される第２の入力端子と、上記第１の入力端子から入力される上記第１のテレビジョン放送信号に対して少なくとも同調処理を行う第１のチューナと、上記第２のテレビジョン放送信号に対して少なくとも同調処理を行う第２のチューナと、第１の回路端子および第２の回路端子を有し、上記第１の回路端子から入力される放送信号から第２の放送信号を抽出し、抽出した第２の放送信号を上記第２の回路端子から出力する整合部と、上記第１の入力端子と上記整合部の上記第１の回路端子間の接続を選択的に行うことが可能な第１の接続部と、上記第２のチューナへの上記第２のテレビジョン放送信号の入力経路を、上記第２の入力端子からの経路または上記整合部の上記第２の回路端子からの経路とする第２の接続部とを有する。
【発明の効果】
【００１６】
本発明によれば、第１のテレビジョン放送信号と第２のテレビジョン放送信号の入力端子を簡便に、１本または２本に変更でき、入力仕様の選択をユニットの外部に特別な部品を付加することなく、簡便な方法で変更できる。
【図面の簡単な説明】
【００１７】
【図１】一般的な地上波テレビジョン放送と衛星波テレビジョン放送の受信機の構成例を示す図である。
【図２】本発明の第１の実施形態に係る放送信号受信装置の構成例を示す図であって、放送信号受信装置が２入力モジュールとして機能する構成例を示す図である。
【図３】本発明の第１の実施形態に係る放送信号受信装置の構成例を示す図であって、放送信号受信装置が１入力モジュールとして機能する構成例を示す図である。
【図４】本実施形態に係る衛星波チューナの周波数変換部の構成例を示す図である。
【図５】本実施形態に係る地上波チューナの周波数変換部の構成例を示す図である。
【図６】本実施形態に係る整合回路および入力フィルタ部の構成例を示す回路図である。
【図７】本発明の第２の実施形態に係る放送信号受信装置の構成例を示す図であって、放送信号受信装置が２入力モジュールとして機能する構成例を示す図である。
【図８】本発明の第２の実施形態に係る放送信号受信装置の構成例を示す図であって、放送信号受信装置が１入力モジュールとして機能する構成例を示す図である。
【図９】本発明の第３の実施形態に係る放送信号受信装置の構成例を示す図であって、放送信号受信装置が２入力モジュールとして機能する構成例を示す図である。
【図１０】本発明の第３の実施形態に係る放送信号受信装置の構成例を示す図であって、放送信号受信装置が１入力モジュールとして機能する構成例を示す図である。
【図１１】本第３の実施形態における信号の受信状況のモニタおよび判別処理の一例を示すフローチャートである。
【発明を実施するための形態】
【００１８】
以下、本発明の実施形態を図面に関連付けて説明する。
なお、説明は以下の順序で行う。
１．第１の実施形態（受信装置の第１の構成例）
２．第２の実施形態（受信装置の第２の構成例）
３．第３の実施形態（受信装置の第３の構成例）
【００１９】
＜１．第１の実施形態＞
図２および図３は、本発明の第１の実施形態に係る放送信号受信装置の構成例を示す図である。
図２は、本第１の実施形態に係る放送信号受信装置が２入力モジュールとして機能する構成例を示している。
図３は、第１の実施形態に係る放送信号受信装置が１入力モジュールとして機能する構成例を示している。
【００２０】
本受信装置１０は、１つのフロントエンドモジュールで、衛星波テレビジョン放送信号および地上波テレビジョン放送信号を受信可能に構成されている。
ここで、たとえば衛星波テレビジョン放送信号が第１のテレビジョン放送信号に相当し、その第１の周波数帯域域は９５０ＭＨｚ〜２１５０ＭＨｚ程度である。
地上波テレビジョン放送信号が第２のテレビジョン放送信号に相当し、その第１の周波数帯域より低い第２の周波数帯域域は４０ＭＨｚ〜８６４ＭＨｚ程度である。
以下では、衛星波テレビジョン放送信号を衛星波放送信号（ＳＳＢ）といい、地上波テレビジョン放送信号を地上波放送信号（ＳＴＢ）という。
【００２１】
本受信装置１０は、図２に示すように、衛星波放送用アンテナ２０および地上波放送用アンテナ３０が個別のケーブルＣＢＬ１１、ＣＢＬ１２により接続されて２入力モジュールとして機能することが可能である。
本受信装置１０は、図３に示すように、衛星波放送用アンテナ２０および地上波放送用アンテナ３０で受信した放送信号を混合器４０で混合し、一つのケーブルＣＢＬ１３により接続されて１入力モジュールとして機能することも可能である。
【００２２】
受信装置１０は、第１の入力端子としての衛星波放送用アンテナ端子１１０、第２の入力端子としての地上波放送用アンテナ端子１２０、第１のチューナとしての衛星波チューナ１３０、および第２のチューナとしての地上波チューナ１４０を有する。
受信装置１０は、整合回路（整合部）１５０、第１の接続部１６０、および第２の接続部１７０を有する。
また、受信装置１０は、衛星波チューナ１３０の入力側に衛星波放送信号の周波数帯域の信号を抽出して衛星波チューナ１３０に供給する入力フィルタ部１８０を有する。
【００２３】
受信装置１０は、衛星波放送用アンテナ端子１１０、地上波放送用アンテナ端子１２０、衛星波チューナ１３０、地上波チューナ１４０、整合回路１５０、第１の接続部１６０、第２の接続部１７０、入力フィルタ部１８０が一つの半導体集積回路として形成される。
【００２４】
第１の入力端子としての衛星波放送用アンテナ端子１１０は、図２に示すように、２入力モジュールとして機能する場合は、ケーブルＣＢＬ１１を介して衛星波放送用アンテナ２０で受信された衛星波放送信号を入力する。
衛星波放送用アンテナ端子１１０は、図３に示すように、１入力モジュールとして機能する場合は、ケーブルＣＢＬ１３を介して混合器４０で混合された衛星波放送信号および地上波放送信の混合波を入力する。
衛星波放送用アンテナ端子１１０は、基本的に配線ＷＬ１１により衛星波チューナ１３０の入力部に接続されている。
なお、本実施形態においては、配線ＷＬ１１に入力フィルタ部１８０が接続されている。
【００２５】
第２の入力端子としての地上波放送用アンテナ端子１２０は、図２に示すように、２入力モジュールとして機能する場合は、ケーブルＣＢＬ１２を介して地上波放送用アンテナ３０で受信された地上波放送信号を入力する。
地上波放送用アンテナ端子１２０は、図３に示すように、１入力モジュールとして機能する場合は、第２の接続部１７０を介して整合回路１５０で抽出された地上波放送信号を入力する。
地上波放送用アンテナ端子１２０は、基本的に配線ＷＬ１２により地上波チューナ１４０の入力部に接続されている。
【００２６】
第１のチューナとしての衛星波チューナ１３０は、衛星波放送用アンテナ端子１１０から入力される衛星波放送信号に対して周波数変換を含む同調処理を行い（放送信号の捕捉処理を行い）、その映像信号および音声信号の復調処理を行う機能を有する。
【００２７】
図４は、本実施形態に係る衛星波チューナの周波数変換部の構成例を示す図である。
【００２８】
図４の衛星波チューナ１３０は、たとえば周波数２１５０ＭＨｚ〜４３００ＭＨｚの局部発振信号を発振する電圧制御発振器（ＶＣＯ）からなる局部発振器１３１、バッファ１３２、分周器１３３を有する。
衛星波チューナ１３０は、たとえば周波数１６ＭＨｚの基準クロックを発振するクリスタル発振器１３４、バッファ１３５、およびＰＬＬ回路１３６を有する。
ＰＬＬ回路１３６は、分周器１３３で分周された局部発振信号を基準クロック信号と位相同期させたクロック信号を図示しないミキサに供給する。
衛星波チューナ１３０において、周波数変換部の出力側に復調回路（ＤＭＤ）１３７が配置される。
【００２９】
第２のチューナとしての地上波チューナ１４０は、地上波放送用アンテナ端子１２０を介して入力される地上波放送信号に対して周波数変換を含む同調処理を行い（放送信号の捕捉処理を行い）、その映像信号および音声信号の復調処理を行う機能を有する。
【００３０】
図５は、本実施形態に係る地上波チューナの周波数変換部の構成例を示す図である。
【００３１】
地上波チューナ１４０は、たとえば周波数１８００ＭＨｚ〜３６００ＭＨｚの局部発振信号を発振する電圧制御発振器（ＶＣＯ）からなる局部発振器１４１、バッファ１４２、分周器１４３を有する。
地上波チューナ１４０は、たとえば周波数４ＭＨｚの基準クロックを発振するクリスタル発振器１４４、バッファ１４５、およびＰＬＬ回路１４６を有する。
ＰＬＬ回路１４６は、分周器１４３で分周された局部発振信号を基準クロック信号と位相同期させたクロック信号を図示しないミキサに供給する。
地上波チューナ１４０において、周波数変換部の出力側に復調回路（ＤＭＤ）１４７が配置される。
【００３２】
整合回路１５０は、第１の回路端子１５１および第２の回路端子１５２を有する。
整合回路１５０は、第１の回路端子１５１から入力される放送信号、たとえば衛星波放送信号と地上波放送信号の混合波信号から地上波放送信号を抽出し、抽出した地上波放送信号ＳＴＢを第２の回路端子１５２から第２の接続部１７０に出力する。
整合回路１５０は、ローパスフィルタ（ＬＰＦ）を含んで構成される。
【００３３】
第１の接続部１６０は、第１の入力端子としての衛星波放送用アンテナ端子１１０と整合回路１５０の第１の回路端子１５１間の接続を選択的に行うことが可能に構成される。
第２の接続部１７０は、地上波チューナ１４０への地上波放送信号の入力経路を、第２の入力端子としての地上波放送用アンテナ端子１２０からの経路、または整合回路１５０の第２の回路端子１５２からの経路とするように構成される。
【００３４】
本第１の実施形態において、第１の接続部１６０および第２の接続部１７０は、次のように構成される。
【００３５】
第１の実施形態において、第１の接続部１６０は、第１の入力端子としての衛星波放送用アンテナ端子１１０と接続可能に対となるように形成された第１の接続端子１６１を含む。
この第１の接続端子１６１は、整合回路１５０の第１の回路端子１５１と配線ＷＬ１３により接続される。
第１の接続部１６０は、図２に示すように、２入力モジュールとして機能する場合は、第１の接続端子１６１は衛星波放送用アンテナ端子１１０と非接続状態に保持される。
第１の接続部１６０は、図３に示すように、１入力モジュールとして機能する場合は、第１の接続端子１６１は衛星波放送用アンテナ端子１１０と接続状態に保持される。
【００３６】
第１の実施形態において、第２の接続部１７０は、第２の入力端子としての地上波放送用アンテナ端子１２０と接続可能に対となるように形成された第２の接続端子１７１を含む。
この第２の接続端子１７１は、整合回路１５０の第２の回路端子１５２と配線ＷＬ１４により接続される。
第２の接続部１７０は、図２に示すように、２入力モジュールとして機能する場合は、第２の接続端子１７１は地上波放送用アンテナ端子１２０と非接続状態に保持される。
第２の接続部１７０は、図３に示すように、１入力モジュールとして機能する場合は、第２の接続端子１７１は地上波放送用アンテナ端子１２０と接続状態に保持される。
【００３７】
また、受信装置１０は、上述したように、衛星波チューナ１３０の入力側に、衛星波放送信号の周波数帯域の信号を抽出して衛星波チューナ１３０に供給する入力フィルタ部１８０を有する。
【００３８】
図６は、本実施形態に係る整合回路および入力フィルタ部の構成例を示す回路図である。
【００３９】
図６には、衛星波放送用アンテナ端子１１０、第１の接続部１６０の第１の接続端子１６１、第２の接続部１７０の第２の接続端子１７１、整合回路１５０を含んでおり、その中で整合回路１５０の具体的な構成が示されている。また、図６には、入力フィルタ部１８０の具体的な構成が示されている。
【００４０】
図６の整合回路１５０は、インダクタＬ１１，Ｌ１２、キャパシタＣ１１，Ｃ１２，Ｃ１３を含んで構成されている。
図６の入力フィルタ部１８０は、キャパシタＣ２１，Ｃ２２、インダクタＬ２１，Ｌ２２を含んで構成されている。
【００４１】
整合回路１５０は、第１の接続端子１６１に直列に接続されたインダクタＬ１１を介してキャパシタＣ１１で接地するローパスフィルタの形状を、同様にインダクタＬ１２とキャパシタＣ１２の組み合わせで構成した２段型のローパスフィルタの例である。
そして、最終ノードＮＤ１１と第２の接続端子１２との間に配置されているキャパシタＣ１３は第１の接続端子１６１と第２の接続端子１７１の間のＤＣ成分のカットのために接続されている。
【００４２】
また、衛星波放送用アンテナ端子１１０から衛星波チューナ１３０の入力側に配置された入力フィルタ部１８０は衛星波放送信号の帯域が地上波放送信号の帯域よりも周波数的に高いために、ハイパスフィルタ（ＨＰＦ）構成となっている。
すなわち、直列に接続されたキャパシタＣ２１を介してインダクタＬ２１を通って接地するハイパスフィルタの形状を、同様にキャパシタＣ２２とインダクタＬ２２の組み合わせで構成した２段型のハイパスフィルタによって構成されている。
受信装置１０は、このハイパスフィルタとローパスフィルタの分波効果によって衛星波放送用の信号と地上波放送用の信号を取り出せるようになっている。
【００４３】
本第１の実施形態において、図２に示すように、衛星波放送用アンテナ端子１１０と第１の接続端子１６１が非接続状態で、地上波放送用アンテナ端子１２０と第２の接続端子１７１が非接続状態の場合、２入力モジュールとして機能する。
この場合、衛星波放送用アンテナ２０および地上波放送用アンテナ３０が個別のケーブルＣＢＬ１１、ＣＢＬ１２により接続され、受信信号が２本のケーブルＣＢＬ１１，ＣＢＬ１２により伝送されて受信装置１０に入力される。
衛星波放送用アンテナ端子１１０と第１の接続端子１６１が非接続状態で、地上波放送用アンテナ端子１２０と第２の接続端子１７１が非接続状態であることから、整合回路１５０は何の機能ももたらさない状態である。
したがって、衛星波放送用アンテナ端子１１０から入力された衛星波放送信号が衛星波チューナ１３０に直接入力され、衛星波チューナ１３０において衛星波放送信号の捕捉、復調処理が行われる。
同様に、地上波放送用アンテナ端子１２０から入力された地上波放送信号が地上波チューナ１４０に直接入力され、地上波チューナ１４０において地上波放送信号の捕捉、復調処理が行われる。
【００４４】
一方、図３に示すように、１本のケーブルＣＢＬ１３による衛星波と地上波の多重伝送の場合は、それぞれ第１の接続端子１６１は衛星波放送用アンテナ端子１１０に接続され、第２の接続端子１７１は地上波放送用アンテナ端子１２０に接続される。
この場合、衛星波放送用アンテナ端子１１０側から地上波放送用アンテナ端子１２０側を見た場合に、上述したように、整合回路１５０にローパスフィルタの作用を持つように構成しておくことにより、分波回路を内蔵したのと同じ効果を持たせることができる。
そして、衛星波放送および地上波放送受信用一体型チューナである受信装置１０の内部構成は全く同一であり、使い方のアプリケーションはセット機器の仕様に合わせて自由に変化させることができる。
【００４５】
＜２．第２の実施形態＞
図７および図８は、本発明の第２の実施形態に係る放送信号受信装置の構成例を示す図である。
図７は、本第２の実施形態に係る放送信号受信装置が２入力モジュールとして機能する構成例を示している。
図８は、第２の実施形態に係る放送信号受信装置が１入力モジュールとして機能する構成例を示している。
【００４６】
本第２の実施形態に係る受信装置１０Ａが上述した第１の実施形態に係る受信装置１０と異なる点は、第１の接続部１６０Ａの構成にある。
本第２の実施形態に係る受信装置１０Ａの第１の接続部１６０Ａは、第１の接続端子を形成することなく、第１の入力端子としての衛星波放送用アンテナ端子１１０と整合回路１５０の第１の回路端子１５１を配線ＷＬ１３で直接接続するように構成されている。
【００４７】
この場合、衛星波放送用アンテナ端子１１０には常に整合回路１５０の一端である第１の回路端子１５１が接続されるので、たとえば整合回路が非常に簡便な直列のインダクタンス等の２端子回路である場合に、より簡便な構成とすることができる。
【００４８】
その他の構成は第１の実施形態と同様である。
【００４９】
本第２の実施形態において、図７に示すように、衛星波放送用アンテナ端子１１０と第１の回路端子１５１が接続状態で、地上波放送用アンテナ端子１２０と第２の接続端子１７１が非接続状態の場合、２入力モジュールとして機能する。
この場合、衛星波放送用アンテナ２０および地上波放送用アンテナ３０が個別のケーブルＣＢＬ１１、ＣＢＬ１２により接続され、受信信号が２本のケーブルＣＢＬ１１，ＣＢＬ１２により伝送されて受信装置１０Ａに入力される。
地上波放送用アンテナ端子１２０と第２の接続端子１７１が非接続状態であることから、整合回路１５０の出力は何の機能ももたらさない状態である。
したがって、衛星波放送用アンテナ端子１１０から入力された衛星波放送信号が衛星波チューナ１３０に直接入力され、衛星波チューナ１３０において衛星波放送信号の捕捉、復調処理が行われる。
同様に、地上波放送用アンテナ端子１２０から入力された地上波放送信号が地上波チューナ１４０に直接入力され、地上波チューナ１４０において地上波放送信号の捕捉、復調処理が行われる。
【００５０】
一方、図８に示すように、１本のケーブルＣＢＬ１３による衛星波と地上波の多重伝送の場合は、それぞれ第１の回路端子１５１は衛星波放送用アンテナ端子１１０に直接接続され、第２の接続端子１７１は地上波放送用アンテナ端子１２０に接続される。
この場合、衛星波放送用アンテナ端子１１０側から地上波放送用アンテナ端子１２０側を見た場合に、上述したように、整合回路１５０にローパスフィルタの作用を持つように構成しておくことにより、分波回路を内蔵したのと同じ効果を持たせることができる。
そして、衛星波放送および地上波放送受信用一体型チューナである受信装置１０の内部構成は全く同一であり、使い方のアプリケーションはセット機器の仕様に合わせて自由に変化させることができる。
【００５１】
＜３．第３の実施形態＞
図９および図１０は、本発明の第３の実施形態に係る放送信号受信装置の構成例を示す図である。
図９は、本第３の実施形態に係る放送信号受信装置が２入力モジュールとして機能する構成例を示している。
図１０は、第３の実施形態に係る放送信号受信装置が１入力モジュールとして機能する構成例を示している。
【００５２】
本第３の実施形態の受信装置１０Ｂは、第１の接続部１６０Ｂおよび第２の接続部１７０Ｂにおける放送信号の伝送経路の切り替えを制御部（たとえばＣＰＵ）５０の制御の下、自動的に処理するように構成されている。
【００５３】
本第３の実施形態において、第１の接続部１６０Ｂは、第１の入力端子である衛星波放送用アンテナ端子１１０と整合回路１５０の第１の回路端子１５１との接続状態および非接続状態を切り替えるための第１のスイッチＳＷ１６０を有する。
第１のスイッチＳＷ１６０は、端子ａが衛星波放送用アンテナ端子１１０と衛星波チューナ１３０の入力部間を接続する配線ＷＬ１１に接続され、端子ｂが整合回路１５０の第１の回路端子１５１に接続されている。
第１のスイッチＳＷ１６０は、制御部５０の制御によりオン状態（接続状態）とオフ（非接続状態）が切り替えられる。
【００５４】
第２の接続部１７０Ｂは、地上波チューナ１４０の入力部を第２の入力端子である地上波放送用アンテナ端子１２０との接続状態とするか整合回路１５０の第２の回路端子１５２との接続状態とするかを切り替えるための第２のスイッチＳＷ１７０を有する。
第２のスイッチＳＷ１７０は、端子ａが地上波チューナ１４０の入力部に接続され、端子ｂが地上波放送用アンテナ端子１２０に接続され、端子ｃが整合回路１５０の第２の回路端子１５２に接続されている。
第２のスイッチＳＷ１７０は、制御部５０の制御により、端子ａ（地上波チューナの入力部）の接続を端子ｂ（地上波放送用アンテナ端子）との接続状態とするか、整合回路１５０の第２の回路端子１５２との接続状態とするかが切り替えられる。
【００５５】
制御部５０は、衛星波チューナ１３０と地上波チューナ１４０が接続されている。
制御部５０は、衛星波チューナ１３０と地上波チューナ１４０を制御、その出力データをモニタしている。
制御部５０は、特に、各チューナ１３０，１４０の復調回路１３７，１４７が正常に信号を捕捉、復調できていることを示すロックフラグおよびその復調品位を示すビットエラーレートを知ることができる。
さらに、制御部５０は、第１のスイッチＳＷ１６０と第２のスイッチＳＷ１７０を制御するためのポートから制御ラインＬＣＴＬ１１，ＬＣＴＬ１２が各スイッチＳＷ１６０，ＳＷ１７０に配線されている。
【００５６】
本第３の実施形態において、図９に示すように、制御部５０により第１のスイッチＳＷ１６０がオフ状態に制御され、第２のスイッチＳＷ１７０が、端子ａが端子ｂとの接続状態に制御される。
このとき、第１のスイッチＳＷ１６０により衛星波放送用アンテナ端子１１０と整合回路１５０の第１の回路端子１５１が非接続状態にあり、第２のスイッチＳＷ１７０により地上波チューナ１４０の入力部が地上波放送用アンテナ端子１２０と接続状態にある。
すなわち、受信装置１０Ｂは、２入力モジュールとして機能する。
この場合、衛星波放送用アンテナ２０および地上波放送用アンテナ３０が個別のケーブルＣＢＬ１１、ＣＢＬ１２により接続され、受信信号が２本のケーブルＣＢＬ１１，ＣＢＬ１２により伝送されて受信装置１０Ｂに入力される。
地上波放送用アンテナ端子１２０と第２の接続端子１７１が非接続状態であることから、整合回路１５０の出力は何の機能ももたらさない状態である。
したがって、衛星波放送用アンテナ端子１１０から入力された衛星波放送信号が衛星波チューナ１３０に直接入力され、衛星波チューナ１３０において衛星波放送信号の捕捉、復調処理が行われる。
同様に、地上波放送用アンテナ端子１２０から入力された地上波放送信号が地上波チューナ１４０に直接入力され、地上波チューナ１４０において地上波放送信号の捕捉、復調処理が行われる。
【００５７】
一方、図１０に示すように、１本のケーブルＣＢＬ１３による衛星波と地上波の多重伝送の場合は、制御部５０により第１のスイッチＳＷ１６０がオン状態に制御され、第２のスイッチＳＷ１７０が、端子ａが端子ｃとの接続状態に制御される。
このとき、第１のスイッチＳＷ１６０により衛星波放送用アンテナ端子１１０と整合回路１５０の第１の回路端子１５１が接続状態にあり、第２のスイッチＳＷ１７０により地上波チューナ１４０の入力部が整合回路１５０の第２の回路端子１５２と接続状態にある。
すなわち、受信装置１０Ｂは、２入力モジュールとして機能する。
この場合、衛星波放送用アンテナ端子１１０側から地上波チューナ１４０の入力部側を見た場合に、上述したように、整合回路１５０にローパスフィルタの作用を持つように構成しておくことにより、分波回路を内蔵したのと同じ効果を持たせることができる。
そして、衛星波放送および地上波放送受信用一体型チューナである受信装置１０の内部構成は全く同一であり、使い方のアプリケーションはセット機器の仕様に合わせて自由に変化させることができる。
【００５８】
なお、たとえばＣＰＵにより形成される制御部５０は、第１のスイッチＳＷ１６０および第２のスイッチＳＷ１７０を切り替えて１入力モジュール機能と２入力モジュール機能を発現させて受信信号をスキャンして受信状況をモニタし、判別する機能を有する。
すなわち、制御部５０は、衛星波チューナ１３０および地上波チューナ１４０の処理信号をスキャンして衛星波放送信号および地上波放送信号の受信状況をモニタする機能を有する。
この場合、制御部５０は、ＣＰＵ上の使用されるソフトウェアによって信号をスキャンして信号の受信状況をモニタし、判別を行うようにすることができる。
【００５９】
図１１は、本第３の実施形態における信号の受信状況のモニタおよび判別処理の一例を示すフローチャートである。
【００６０】
その処理はステップＳＴ１０のスキャンスタートから始まり、制御部５０は１本のケーブルモードである１入力モジュール機能に設定する（ＳＴ１１）。
ステップＳＴ１１では、図１０に示すように、制御部５０により第１のスイッチＳＷ１６０がオン状態に制御され、第２のスイッチＳＷ１７０が、端子ａが端子ｃとの接続状態に制御される。
第１のスイッチＳＷ１６０により衛星波放送用アンテナ端子１１０と整合回路１５０の第１の回路端子１５１が接続状態となり、第２のスイッチＳＷ１７０により地上波チューナ１４０の入力部が整合回路１５０の第２の回路端子１５２と接続状態となる。
この状態で、制御部５０は、衛星波放送帯域の信号スキャン（シグナルスキャン）を行い（ＳＴ１２）、信号の有無を判断する（ＳＴ１３）。
これには前記のロックフラグまたはビットエラーレートなどが使われる。
ステップＳＴ１３において、衛星波放送信号を確認した場合、次に地上波シグナルスキャンを行い（ＳＴ１４）、信号の有無を判断する（ＳＴ１５）。
このとき、地上波放送受信が可能な場合は受信帯域チャンネルデータをメモリ等に格納して（ＳＴ１６）、スキャンプログラムを終了する（ＳＴ１７）。
【００６１】
一方、ステップＳＴ１３の衛星波放送信号の受信判断で受信不可能な場合、２本のケーブルモードである２入力モジュール機能に設定する（ＳＴ１８）。
ステップＳＴ１８では、図９に示すように、制御部５０により第１のスイッチＳＷ１６０がオフ状態に制御され、第２のスイッチＳＷ１７０が、端子ａが端子ｂとの接続状態に制御される。
第１のスイッチＳＷ１６０により衛星波放送用アンテナ端子１１０と整合回路１５０の第１の回路端子１５１が非接続状態となり、第２のスイッチＳＷ１７０により地上波チューナ１４０の入力部が地上波放送用アンテナ端子１２０と接続状態となる。
この状態で、制御部５０は、衛星波放送帯域のシグナルスキャンを行い（ＳＴ１９）、次いで地上波シグナルスキャンを行う（ＳＴ２０）。
そして、ステップＳＴ２１において、地上波・衛星波放送の何れの信号を受信できたかを判断し、いずれかを受信できた場合には、ステップＳＴ１６にて受信帯域チャンネルとして格納して終わる。
【００６２】
さらにここでも、ステップＳＴ２１にて地上波・衛星波放送の何れの信号も受信できなかった場合は、再度、１本のケーブルモードに戻し（ＳＴ２２）、ステップＳＴ２０の地上波シグナルスキャンに戻す。
その際、ステップＳＴ２２、ＳＴ２３におけるようなカウンタ処理を行うことにより、所定回数受信できなかった場合は、ステップＳＴ１７に移行して強制的にスキャン終了とする。
【００６３】
以上説明したように、本実施形態によれば、非常に簡単な外部回路の変更によって、次のような対応が可能である。
すなわち、衛星波放送用アンテナ端子と、地上波放送用アンテナ用端子と２本個別に設ける場合と、衛星波放送用アンテナ端子と地上波放送用アンテナ端子を共通化し１本にする場合の切り替えをモジュールの外部端子の非常に簡単な接続によって実現できる。
このため、入力端子の構成をさまざまな利用形態に合わせて設計できる。
これにより、使用するモジュールの品種を減らし、集中生産による効率化も同時に実現できることから、最終的なチューナモジュールのコスト削減に寄与することができる。
また、セット上の基板での部品マウントを必要としないため、セット基板の小型化に貢献できる。
さらに、図１１に示す自動判別機能を持たせたシステムに構成することにより、ユーザーの都合で信号ラインの本数が変わった場合にも自動的に対応することができることから、最終的なセット商品に組み込んだ場合に効果は大きい。
【００６４】
また、本発明における実施形態は、半導体とディスクリート部品を搭載した回路モジュールでも実現できるが、全てを半導体によって実現する半導体ＩＣそのものでも実施できる。
すなわち、半導体化による省スペース効果と、品種統合によるスケールメリットはモジュールにおける改善度より更に大きなメリットがある。
【符号の説明】
【００６５】
１０，１０Ａ，１０Ｂ・・・受信装置、１１０・・・衛星波放送用アンテナ端子（第１の入力端子）、１２０・・・地上波放送用アンテナ端子（第２の入力端子）、１３０・・・衛星波チューナ（第１のチューナ）、１４０・・・地上波チューナ（第２のチューナ）、１５０・・・整合回路、１５１・・・第１の回路端子、１５２・・・第２の回路端子、１６０・・・第１の接続部、１６１・・・第１の接続端子、１７０・・・第２の接続部、１７１・・・第２の接続端子、１８０・・・入力フィルタ部、２０・・・衛星波放送用アンテナ、３０・・・地上波放送用アンテナ、４０・・・混合器、５０・・・ＣＰＵ（制御部）。
【図１】
0005488116.tif 000002
【図２】
0005488116.tif 000003
【図３】
0005488116.tif 000004
【図４】
0005488116.tif 000005
【図５】
0005488116.tif 000006
【図６】
0005488116.tif 000007
【図７】
0005488116.tif 000008
【図８】
0005488116.tif 000009
【図９】
0005488116.tif 000010
【図１０】
0005488116.tif 000011
【図１１】
0005488116.tif 000012